(57)【要約】  第１の空気調和機（１００，２００）と、第２の空気調和機（２００，１００）と、第１の空気調和機（１００，２００）からの情報に応じて、第２の空気調和機（２００，１００）を制御するサーバ（３００）とを備える、ネットワークシステム（１）が提供される。
2019064616.tif 000002
【特許請求の範囲】
【請求項１】
第１の空気調和機と、
第２の空気調和機と、
前記第１の空気調和機からの情報に応じて、前記第２の空気調和機を制御するサーバとを備える、ネットワークシステム。
【請求項２】
前記第１の空気調和機は、部屋の温度を調節する機能を有し、
前記第２の空気調和機は、加湿機能を有する、請求項１に記載のネットワークシステム。
【請求項３】
前記サーバは、前記第１の空気調和機が暖房運転を行った場合に、前記第２の空気調和機に加湿運転を行わせる、請求項２に記載のネットワークシステム。
【請求項４】
前記第１の空気調和機は、照度センサを有し、
前記第２の空気調和機は、部屋の温度を調節する機能を有する、請求項１に記載のネットワークシステム。
【請求項５】
前記サーバは、前記第１の空気調和機が部屋が暗くなったことを検知した場合に、前記第２の空気調和機におやすみ運転を行わせる、請求項４に記載のネットワークシステム。
【請求項６】
端末をさらに備え、
前記端末は、前記第１の空気調和機とペアリングを行い、前記第２の空気調和機とペアリングを行い、
前記サーバは、前記端末からの指示に基づいて前記端末とペアリングした前記第１の空気調和機と前記第２の空気調和機とを連携させる、請求項１から５のいずれか１項に記載のネットワークシステム。
【請求項７】
前記端末は、ペアリングした複数の機器のうちから、連携する第１の空気調和機と前記第２の空気調和機との選択命令を受け付けて、当該選択命令を前記サーバに送信する、請求項６に記載のネットワークシステム。
【発明の詳細な説明】
【技術分野】
【０００１】
本発明は、空気調和機の技術に関し、特に複数の空気調和機同士における情報通信の技術に関する。
【背景技術】
【０００２】
従来から、空気調和機内部を自動で清掃する技術が知られている。たとえば、特開２０１６−１１４２７０号公報（特許文献１）には、空気調和機、空気調和機の制御方法、及びプログラムが開示されている。特許文献１によると、室内を赤外線及び／又は可視光線によってセンシングする撮像部と、少なくとも撮像部によって取得したデータに基づいて室内の空調制御を行う制御部と、を備える空気調和機において、室内を赤外線及び／又は可視光線によってセンシングする撮像部を備える監視システムと通信する情報入出力部を備え、制御部は、情報入出力部を介して監視システムとの間で入出力される情報に基づいて、監視システムとの協調制御を行う。【０００３】
また、特開２０１４−７０８８３号公報（特許文献２）には、空気調和機および空調システムが開示されている。特許文献２によると、空気調和機は、空調運転に連動して、室内に設置された空調機器の運転を制御する。空気調和機は、室内環境の指標を検出する検出部と、空調運転を制御するとともに加湿機の運転を制御する制御部とを備える。制御部は、室内における加湿機の位置を認識して、加湿機から指標を取得し、取得した指標と検出部により検出された指標との差が大きいとき、空調運転の送風が加湿機に向かうように風向きを制御する。
【先行技術文献】
【特許文献】
【０００４】
【特許文献１】特開２０１６−１１４２７０号公報
【特許文献２】特開２０１４−７０８８３号公報
【発明の概要】
【発明が解決しようとする課題】
【０００５】
本発明の目的は、複数の空気調和機同士における効率的な情報のやり取りができるネットワークシステムを提供することにある。
【課題を解決するための手段】
【０００６】
この発明のある態様に従うと、第１の空気調和機と、第２の空気調和機と、第１の空気調和機からの情報に応じて、第２の空気調和機を制御するサーバとを備える、ネットワークシステムが提供される。
【発明の効果】
【０００７】
以上のように、本発明によれば、複数の空気調和機同士における効率的な情報のやり取りができるネットワークシステムが提供される。
【図面の簡単な説明】
【０００８】
【図１】第１の実施の形態にかかるネットワークシステム１の全体構成を示すイメージ図である。
【図２】第１の実施の形態にかかるエアコン１００の構成を示すブロック図である。
【図３】第１の実施の形態にかかる空気清浄機２００の構成を示すブロック図である。
【図４】第１の実施の形態にかかるサーバ３００の構成を示すブロック図である。
【図５】第１の実施の形態にかかる機器データ３２１を示すイメージ図である。
【図６】第１の実施の形態にかかる連携動作データ３２２を示すイメージ図である。
【図７】第１の実施の形態にかかるお休み連携データ３２３を示すイメージ図である。
【図８】第１の実施の形態にかかる連携ペアデータ３２４を示すイメージ図である。
【図９】第１の実施の形態にかかるサーバ３００の情報処理を示すフローチャートである。
【図１０】第１の実施の形態にかかるスマートフォン４００などの通信端末の構成を示すブロック図である。
【図１１】第１の実施の形態にかかるスマートフォン４００の画面例を示すイメージ図である。
【図１２】第２の実施の形態にかかるスマートフォン４００の画面例を示すイメージ図である。
【図１３】第２の実施の形態にかかるネットワークシステム１の全体構成を示すイメージ図である。
【図１４】第３の実施の形態にかかるスマートフォン４００の画面例を示すイメージ図である。
【図１５】第３の実施の形態にかかるネットワークシステム１の全体構成を示すイメージ図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成＞
【００１０】
まず、図１を参照して、本実施の形態にかかるネットワークシステム１の全体構成について説明する。本実施の形態にかかるネットワークシステム１は、主に、家電制御用のアプリケーションのためのサーバ３００と、サーバ３００と各種データをやり取りするスマートフォン４００などの通信端末と、モデム５００やＷｉＦｉ（登録商標）ルータ６００を介してサーバ３００と各種データをやり取りするエアコン１００や空気清浄機２００などの空気調和機などを含む。
【００１１】
なお、空気調和機は、冷暖房機能を有するエアコン１００であってもよいし、空気清浄機能を有する空気清浄機２００や、加湿機能を有する加湿器や、その他の扇風機などであってもよい。また、通信端末は、スマートフォン４００に限らず、タブレットや、ゲーム機や、ウェアラブル端末や、パーソナルコンピュータや、その他の通信装置であってもよい。
＜ネットワークシステム１の動作概要＞
【００１２】
特に、本実施の形態にかかるネットワークシステムにおいては、空気清浄機２００のセンサで取得した情報をエアコン１００に提供し、エアコン１００が当該情報を利用して運転を行ったり、逆にエアコン１００のセンサで取得した情報を空気清浄機２００に提供し、空気清浄機２００が当該情報を利用して運転を行ったりするものである。以下、このような機能を実現するためのネットワークシステム１の具体的な構成について詳述する。
＜エアコン１００の構成＞
【００１３】
まずは、図２を参照して、ネットワークシステム１を構成するエアコン１００の構成の一態様について説明する。本実施の形態にかかるエアコン１００は、主たる構成要素として、ＣＰＵ１１０と、メモリ１２０と、ディスプレイ１３０、操作部１４０と、各種センサ１５０と、通信インターフェース１６０と、スピーカ１７０と、リモコン受光部１８０と、機器駆動部１９０とを含む。
【００１４】
ＣＰＵ１１０は、メモリ１２０あるいは外部の記憶媒体に記憶されているプログラムを実行することによって、エアコン１００の各部を制御する。
【００１５】
メモリ１２０は、各種のＲＡＭ、各種のＲＯＭなどによって実現される。メモリ１２０は、ＣＰＵ１１０によって実行されるプログラムや、ＣＰＵ１１０によるプログラムの実行により生成されたデータ、操作部１４０を介して入力されたデータ、リモコンから受信したデータ、ルータやインターネットを介してサーバ３００から受信したデータなどを記憶する。
【００１６】
ディスプレイ１３０は、ＣＰＵ１１０からの信号に基づいて、文字や画像などを出力する。なお、ディスプレイ１３０は、単にライトであってもよい。
【００１７】
操作部１４０は、ボタンなどによって実現され、ユーザからの命令を受け付けて、当該命令をＣＰＵ１１０に入力する。なお、ディスプレイ１３０と操作部１４０とは、タッチパネルを構成してもよい。
【００１８】
各種センサ１５０は、温度センサや湿度センサであって、温度や湿度の測定結果をＣＰＵ１１０に入力するものである。
【００１９】
通信インターフェース１６０は有線通信あるいは無線通信によって他の装置との間でデータをやり取りする。すなわち、通信インターフェース１６０は、ＣＰＵ１１０からのデータを受け付けて、当該データをサーバ３００などの他の装置に送信したり、逆に、通信インターフェース１６０を制御することによって他の装置から各種のデータを受信してＣＰＵ１１０に入力したりする。
【００２０】
スピーカ１７０は、ＣＰＵ１１０からの信号に基づいて、各種音声や音やメロディーを出力する。
【００２１】
リモコン受光部１８０は、リモコンなどからの赤外線信号を検知して、ＣＰＵ１１０に受信信号を入力する。たとえば、ＣＰＵ１１０は、リモコン受光部１８０を介して、リモコンから電源ＯＮ／ＯＦＦ命令、その他の制御命令や各種データなどを受け付ける。
【００２２】
機器駆動部１９０は、ＣＰＵ１１０からの信号に基づいて、電気機器の各部、たとえば圧縮機やファンやその他のモータやヒータなど、を制御する。本実施の形態にかかるエアコン１００は、機器駆動部１９０によって、冷房機能や暖房機能や送風機能やイオン発生機能などを実現する。
【００２３】
このように構成されているため、ＣＰＵ１１０は、通信インターフェース１６０を介して、スマートフォン４００と接続ＩＤなどの情報をやり取りすることによって、サーバ３００を介して当該情報を利用してスマートフォン４００とのペアリングを実行する。そして、ＣＰＵ１１０は、通信インターフェース１６０を介して、暖房運転や冷房運転や送風運転を実行する旨や、設定温度や、設定湿度や、現在温度や、現在湿度などをサーバ３００を介してペアリング先のスマートフォン４００に提供したり、サーバ３００を介してスマートフォン４００などからの遠隔制御命令を受信したりする。
【００２４】
また、ＣＰＵ１１０は、通信インターフェース１６０を介して、サーバ３００から空気清浄機２００のセンサで取得した値を取得することができる。ＣＰＵ１１０は、サーバ３００から取得した命令に基づいて、暖房運転や冷房運転や送風運転を実行したり、設定温度や設定湿度を設定したりする。たとえば、空気清浄機２００が部屋の照度が暗くなったことを検知した場合に、エアコン１００はサーバ３００からのデータに基づいて、おやすみ運転を開始する。逆に、ＣＰＵ１１０は、通信インターフェース１６０を利用して、サーバ３００を介して空気清浄機２００に運転状況や各種のセンサのデータを提供する。
＜空気清浄機２００の構成＞
【００２５】
次に図３を参照して、ネットワークシステム１を構成する空気清浄機２００の構成の一態様について説明する。本実施の形態にかかる空気清浄機２００は、主たる構成要素として、ＣＰＵ２１０と、メモリ２２０と、ディスプレイ２３０、操作部２４０と、各種センサ２５０と、通信インターフェース２６０と、スピーカ２７０と、リモコン受光部２８０と、機器駆動部２９０とを含む。
【００２６】
各部の構成は、エアコン１００のものと同様であるため、ここでは説明を繰り返さない。ただし、本実施の形態にかかる空気清浄機２００は、機器駆動部２９０によって、空気清浄機能や加湿機能やイオン発生機能などを実現する。また、各種センサ２５０は、ホコリの量やニオイの程度や照度などを計測してＣＰＵ２１０に入力するものである。
【００２７】
空気清浄機２００のＣＰＵ２１０も、通信インターフェース２６０を介して、スマートフォン４００と接続ＩＤなどの情報をやり取りすることによって、サーバ３００を介して当該情報を利用してスマートフォン４００とのペアリングを実行する。そして、ＣＰＵ２１０は、通信インターフェース２６０を介して、各種の運転を実行する旨や、設定湿度や、現在湿度などをサーバ３００を介してペアリング先のスマートフォン４００に提供したり、サーバ３００を介してスマートフォン４００などからの遠隔制御命令を受信したりする。
【００２８】
また、ＣＰＵ２１０は、各種センサ２５０で取得したホコリの量やニオイの程度や照度を、通信インターフェース２６０を介してサーバ３００に送信する。逆に、ＣＰＵ２１０は、通信インターフェース２６０を介してサーバ３００から、エアコン１００が暖房運転した旨の情報を取得して加湿運転を開始したりする。
＜サーバ３００の構成＞
【００２９】
図４を参照して、本実施の形態にかかるネットワークシステム１を構成するサーバ３００の構成の一態様について説明する。サーバ３００は、主たる構成要素として、ＣＰＵ３１０と、メモリ３２０と、ディスプレイ３３０と、操作部３４０と、通信インターフェース３６０とを含む。
【００３０】
ＣＰＵ３１０は、メモリ３２０に記憶されているプログラムを実行することによって、サーバ３００の各部を制御する。たとえば、ＣＰＵ３１０は、メモリ３２０に格納されているプログラムを実行し、各種のデータを参照することによって、後述する各種の処理を実行する。
【００３１】
メモリ３２０は、各種のＲＡＭ、各種のＲＯＭなどによって実現され、サーバ３００に内包されているものであってもよいし、サーバ３００の各種インターフェースに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、入力されたデータ、機器データ３２１、連携動作データ３２２、お休み連携データ３２３、連携ペアデータ３２４、その他の本実施の形態にかかる家電管理サービスに利用されるデータベースなどを記憶する。
【００３２】
なお、機器データ３２１は、図５に示すように、エアコン１００や空気清浄機２００などの機器毎に、機器の識別情報と、機器の種類と、ユーザの識別情報と、部屋を特定するための名前と、機器の現在の動作を特定するための動作命令やセンサによって取得した各種測定結果などの動作状態や、ペアリング先のスマートフォン４００またはユーザの識別情報などを含む。ＣＰＵ３１０は、スマートフォン４００などの通信端末のアプリからの要求に基づいて、機器データ３２１を参照して、当該スマートフォン４００とペアリング済みの機器のうちの、指定された部屋に配置されている機器に関する情報を提供する。
【００３３】
連携動作データ３２２は、図６に示すように、機器の連携動作の種類毎に、連携動作のＩＤと、連携動作を実行するための条件と、連携する機器の種類と、条件を満たした場合の命令などを含む。
【００３４】
お休み連携データ３２３は、図７に示すように、おやすみ運転命令の入力経路すなわち現在状態と、新たなおやすみ運転命令の種類とに対する、おやすみ運転のＯＮ／ＯＦＦの関係を格納する。
【００３５】
連携ペアデータ３２４は、図８に示すように、連携運転のペア毎に、連携ペアのＩＤと、連携した複数の機器の識別情報とを含む。なお、ＣＰＵ３１０は、スマートフォン４００などの通信端末のアプリからの要求に基づいて、当該スマートフォン４００とペアリング済みの機器のうちの連携すべき機器の組み合わせを連携ペアデータ３２４に登録する。
【００３６】
図４に戻って、ディスプレイ３３０は、ＣＰＵ３１０からの信号に基づいて、テキストや画像を表示する。操作部３４０は、サービスの管理者などの命令を受け付けて、当該命令をＣＰＵ３１０に入力する。
【００３７】
通信インターフェース３６０は、ＣＰＵ３１０からのデータを、インターネット、キャリア網、ルータなどを介して、エアコン１００やスマートフォン４００などの他の装置に送信する。逆に、通信インターフェース３６０は、インターネット、キャリア網、ルータなどを介して他の装置からのデータを受信して、ＣＰＵ３１０に受け渡す。
【００３８】
本実施の形態にかかるサーバ３００のＣＰＵ３１０は、通信インターフェース３６０を介して、エアコン１００や空気清浄機２００などの機器からデータを受信すると、図９に示すように以下の処理を実行する。
【００３９】
ＣＰＵ３１０は、受信したデータから機器の識別情報や機器の動作状態や機器のセンサの測定データなどを読み出す（ステップＳ１０２）。ＣＰＵ３１０は、連携ペアデータ３２４を参照して、連携先の機器があるか否かを判断する（ステップＳ１０４）。ＣＰＵ３１０は、連携先の機器がある場合（ステップＳ１０４においてＹＥＳである場合）、機器データ３２１を参照して連携機器に関するデータを読み出して、連携動作データ３２２を参照していずれかの連携動作の条件に当てはまるか否かを判断する（ステップＳ１０６）。いずれかの連携動作の条件に当てはまる場合（ステップＳ１０６においてＹＥＳである場合）、ＣＰＵ３１０は、通信インターフェース３６０を介して、連携先の機器に連携命令を送信する（ステップＳ１０８）。ＣＰＵ３１０は、通信インターフェース３６０を介して、次の機器からのデータを待ちうける。
【００４０】
たとえば、ＣＰＵ３１０は、エアコン１００と空気清浄機２００とが連携されており（ステップＳ１０４においてＹＥＳである場合）、空気清浄機２００の照度センサのデータに基づいて照度が低いという連携条件および所定時間以上が経過しているという連携条件に合致すると（ステップＳ１０６においてＹＥＳである場合）、エアコン１００に連携命令としておやすみ運転を開始させる（ステップＳ１０８）。あるいは、ＣＰＵ３１０は、エアコン１００と空気清浄機２００とが連携されており（ステップＳ１０４においてＹＥＳである場合）、エアコン１００が暖房運転を実行しているという連携条件に合致すると（ステップＳ１０６においてＹＥＳである場合）、空気清浄機２００に連携命令として加湿運転を開始させる（ステップＳ１０８）。
【００４１】
より詳細には、本実施の形態においては、サーバ３００のＣＰＵ３１０は、空気清浄機２００の照度センサの検知結果が「暗い」である場合、当該状態が１５分以上継続されると、通信インターフェース３６０を介して対応するエアコン１００におやすみ運転の指示を送信する。逆に、サーバ３００のＣＰＵ３１０は、空気清浄機２００の照度センサの検知結果が「暗い」でなくなった状態が１５分以上継続されると、通信インターフェース３６０を介して対応するエアコン１００におやすみ運転の解除の指示を送信する。なお、リモコン１９９などからの指令でおやすみ運転が解除されると、サーバ３００は、一度空気清浄機２００の照度センサの検知結果が「暗い」でない状態になってからでないと、再度のおやすみ運転には移行しない。
【００４２】
また、図７に示した通り、リモコン１９９のおやすみ運転の切りタイマーが有効である場合に、機器の連携によるおやすみ運転の指示が入力された場合は、サーバ３００またはエアコン１００によって当該おやすみ運転の指示を無効にする。また、リモコン１９９のおやすみ運転の切りタイマーが有効である場合に、機器の連携によるおやすみ運転の解除の指示が入力された場合は、サーバ３００またはエアコン１００によって当該おやすみ運転の解除の指示を無効にする。つまり、サーバ３００またはエアコン１００は機器の連携による指示よりもリモコンによる指示を優先することが好ましい。
【００４３】
より詳細には、図７の上段を参照して、リモコン１９９によるおやすみ運転中に、リモコン１９９によるおやすみ運転開始命令が入力されると、空気調和機１００においておやすみ運転を継続する。リモコン１９９によるおやすみ運転中に、リモコン１９９によるおやすみ運転解除命令が入力されると、空気調和機１００においておやすみ運転を終了する。リモコン１９９によるおやすみ運転中に、機器の連携によるおやすみ運転開始命令が入力されると、空気調和機１００においておやすみ運転を継続する。リモコン１９９によるおやすみ運転中に、機器の連携によるおやすみ運転解除命令が入力されても、空気調和機１００においておやすみ運転を継続する。
【００４４】
図７の中段を参照して、機器の連携によるおやすみ運転中に、リモコン１９９によるおやすみ運転開始命令が入力されると、空気調和機１００においておやすみ運転を継続する。機器の連携によるおやすみ運転中に、リモコン１９９によるおやすみ運転解除命令が入力されると、空気調和機１００においておやすみ運転を終了する。なお、このときにおやすみ運転を解除させない形態であってもよい。機器の連携によるおやすみ運転中に、機器の連携によるおやすみ運転開始命令が入力されると、空気調和機１００においておやすみ運転を継続する。機器の連携によるおやすみ運転中に、機器の連携によるおやすみ運転解除命令が入力されると、サーバ３００が、空気調和機１００におやすみ運転を解除させる。
【００４５】
図７の下段を参照して、おやすみ運転をしていない場合に、リモコン１９９によるおやすみ運転開始命令が入力されると、空気調和機１００においておやすみ運転を開始する。おやすみ運転をしていない場合に、リモコン１９９によるおやすみ運転解除命令が入力されても、当然に空気調和機１００においておやすみ運転は行われない。おやすみ運転をしていない場合に、機器の連携によるおやすみ運転開始命令が入力されると、サーバ３００が空気調和機１００におやすみ運転を開始させる。おやすみ運転をしていない場合に、機器の連携によるおやすみ運転解除命令が入力されても、当然に空気調和機１００においておやすみ運転は行われない。
＜スマートフォン４００の構成＞
【００４６】
図１０を参照して、本実施の形態にかかるスマートフォン４００などの通信端末の構成の一態様について説明する。スマートフォン４００は、主たる構成要素として、ＣＰＵ４１０と、メモリ４２０と、ディスプレイ４３０と、操作部４４０と、通信インターフェース４６０と、スピーカ４７０と、マイク４８０などを含む。
【００４７】
ＣＰＵ４１０は、メモリ４２０に記憶されているプログラムを実行することによって、スマートフォン４００の各部を制御する。
【００４８】
メモリ４２０は、各種のＲＡＭや各種のＲＯＭなどによって実現される。メモリ４２０は、ＣＰＵ４１０によって実行されるプログラムたとえば家電制御用のアプリケーションプログラムや、ＣＰＵ４１０によるプログラムの実行により生成されたデータ、入力されたデータ、その他の本実施の形態にかかる家電管理サービスに利用されるデータベースなどを記憶する。
【００４９】
ディスプレイ４３０は、ＣＰＵ４１０からの信号に基づいて、テキストや画像を表示する。操作部４４０は、ユーザなどの命令を受け付けて、当該命令をＣＰＵ４１０に入力する。たとえば、ＣＰＵ４１０は、エアコン１００の制御用のアプリケーションプログラムに基づいて、ディスプレイ４３０に操作画面を表示して、操作部４４０を介してエアコン１００への遠隔制御命令の入力を受け付ける。なお、ディスプレイ４３０と操作部４４０とはタッチパネルであってもよい。
【００５０】
通信インターフェース４６０は、ＣＰＵ４１０からのデータを、インターネット、キャリア網、ルータなどを介して、サーバ３００などの他の装置に送信する。逆に、通信インターフェース４６０は、インターネット、キャリア網、ルータなどを介して当該他の装置からのデータを受信して、ＣＰＵ４１０に受け渡す。
【００５１】
スピーカ４７０は、ＣＰＵ４１０からのデータに基づいて音声や音やメロディーを出力し、マイク４８０は音声を受け付けて音声データをＣＰＵ４１０に入力する。
【００５２】
本実施の形態においては、ＣＰＵ４１０は、操作部４４０を介して、ユーザからの家電連携に関する命令を受け付けると、通信インターフェース４６０を介してサーバ３００からペアリング済みの機器の情報を取得して、図１１に示すようにディスプレイ４３０に連携可能な機器を選択可能に表示させる。そして、連携させたい複数の機器を指定する命令を受け付けて、ＣＰＵ４１０は、通信インターフェース４６０を介して当該連携情報をサーバ３００に送信する。
【００５３】
より詳細には、ＣＰＵ４１０は、家電制御アプリケーションプログラムに基づいて以下の処理を実行する。すなわち、ＣＰＵ４１０は、操作部４４０を介して、ユーザからの家電連携に関する命令および部屋を指定をする命令を受け付けると、通信インターフェース４６０を介して、スマートフォン４００のＩＤやユーザのＩＤやパスワードや連携を行う部屋を指定するための情報などをサーバ３００に送信する。サーバ３００のＣＰＵ３１０は、通信インターフェース３６０を介して、当該スマートフォン４００とペアリング済みの機器のうちの指定された部屋に対応する機器の情報をスマートフォン４００に送信する。これによって、ＣＰＵ４１０は、図１１に示すようにディスプレイ４３０に、当該部屋における連携可能な機器を選択可能に表示させる。そして、連携させたい複数の機器を指定する命令を受け付けて、ＣＰＵ４１０は、通信インターフェース４６０を介して当該連携情報をサーバ３００に送信する。サーバ３００のＣＰＵ３１０は、スマートフォン４００からのデータに基づいて、新たな連携関係を連携ペアデータ３２４に登録する。これ以降、登録された連携関係に属するエアコン１００や空気清浄機２００は、互いの測定結果や動作状態に基づいて、サーバ３００を介して、より適切な動作を実行することができる。
＜第２の実施の形態＞
【００５４】
第１の実施の形態においては、エアコン１００と空気清浄機２００との連携について説明をした。しかしながら、図１２および図１３に示すように、エアコン１００とテレビ２００Ｂとが連携されてもよい。この場合は、テレビ２００Ｂの照度センサや人感センサが取得したデータをエアコン１００が利用することができる。たとえば、サーバ３００は、テレビ２００Ｂの音量が下げられた情報に基づいて、エアコン１００の風量を下げる制御を行ってもよい。
【００５５】
当然に、図１４および図１５に示すように、エアコン１００と照明２００Ｃとが連携されてもよい。この場合は、照明２００Ｃの照度センサや人感センサが取得したデータをエアコン１００が利用することができる。たとえば、照明２００ＣがＯＦＦされた場合に、照明２００ＣのＣＰＵ２１０が、その旨をサーバ３００に送信し、サーバ３００のＣＰＵ３１０が所定時間経過後に通信インターフェース３６０を介して、エアコン１００におやすみ運転を開始させることもできる。
【００５６】
あるいは、例えば、エアコン１００が照度センサを有していてもよい。そして、暗い状態になると、エアコン１００はおやすみ運転を開始し、連携機器が空気清浄機２００である場合は、空気清浄機２００の風量を下げる、又は、ＬＥＤライトやディスプレイの明るさを下げるまたは消灯するようにしてもよい。連携機器がテレビ２００Ｂである場合、テレビ２００Ｂの明るさを暗くする、又は、音量を下げるようにしてもよい。あるいは、エアコン１００の風量が上がると、テレビ２００Ｂの音量を上げるようにしてもよい。連携機器が照明２００Ｃである場合、暗くなってくると、点灯したり、照度を上げたりしてもよい。あるいは明るくなってくると、照明２００Ｃが消灯したり、照度を下げたりしてもよい。また、エアコン１００、空気清浄機２００、テレビ２００Ｂ、照明２００Ｃがすべて連動するようにしてもよい。
＜第３の実施の形態＞
【００５７】
第１および第２の実施の形態のネットワークシステム１の各装置の役割の一部または全部を他の装置が実行してもよい。たとえば、サーバ３００や空気清浄機２００やエアコン１００やスマートフォン４００の各々の役割の一部または全部を別の装置が担ったり、それらの装置の１つ１つの役割の一部または全部を、複数の装置で分担したりしてもよい。たとえば、サーバ３００を介さずに、エアコン１００と空気清浄機２００とが直接的にデータをやり取りして、エアコン１００のＣＰＵ１１０または空気清浄機２００のＣＰＵ２１０とがサーバ３００の代わりに連携条件の判断を行ってもよい。
＜まとめ＞
【００５８】
上記の実施の形態においては、第１の空気調和機１００（２００）と、第２の空気調和機２００（１００）と、第１の空気調和機１００（２００）からの情報に応じて、第２の空気調和機２００（１００）を制御するサーバ３００とを備える、ネットワークシステム１が提供される。
【００５９】
好ましくは、第１の空気調和機１００は、部屋の温度を調節する機能を有する。第２の空気調和機２００は、加湿機能を有する。
【００６０】
好ましくは、サーバ３００は、第１の空気調和機１００が暖房運転を行った場合に、第２の空気調和機２００に加湿運転を行わせる。
【００６１】
好ましくは、第１の空気調和機２００は、照度センサ２５０を有する。第２の空気調和機１００は、部屋の温度を調節する機能を有する。
【００６２】
好ましくは、サーバ３００は、第１の空気調和機２００が部屋が暗くなったことを検知した場合に、第２の空気調和機１００におやすみ運転を行わせる。
【００６３】
好ましくは、ネットワークシステム１は、端末４００をさらに備える。端末４００は、第１の空気調和機１００とペアリングを行い、第２の空気調和機２００とペアリングを行う。サーバ３００は、端末４００からの指示に基づいて端末４００とペアリングした第１の空気調和機１００と第２の空気調和機２００とを連携させる。
【００６４】
好ましくは、端末４００は、ペアリングした複数の機器のうちから、連携する第１の空気調和機１００と第２の空気調和機２００との選択命令を受け付けて、当該選択命令をサーバに送信する。
【００６５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６６】
１        ：ネットワークシステム
１００    ：エアコン
１１０    ：ＣＰＵ
１２０    ：メモリ
１３０    ：ディスプレイ
１４０    ：操作部
１６０    ：通信インターフェース
１７０    ：スピーカ
１８０    ：リモコン受光部
１９０    ：機器駆動部
１９９    ：リモコン
２００    ：空気清浄機
２００Ｂ  ：テレビ
２００Ｃ  ：照明
２１０    ：ＣＰＵ
２２０    ：メモリ
２３０    ：ディスプレイ
２４０    ：操作部
２５０    ：センサ
２６０    ：通信インターフェース
２７０    ：スピーカ
２８０    ：リモコン受光部
２９０    ：機器駆動部
３００    ：サーバ
３１０    ：ＣＰＵ
３２０    ：メモリ
３２１    ：機器データ
３２２    ：連携動作データ
３２３    ：連携データ
３２４    ：連携ペアデータ
３３０    ：ディスプレイ
３４０    ：操作部
３６０    ：通信インターフェース
４００    ：スマートフォン
４１０    ：ＣＰＵ
４２０    ：メモリ
４３０    ：ディスプレイ
４４０    ：操作部
４６０    ：通信インターフェース
４７０    ：スピーカ
４８０    ：マイク
５００    ：モデム
６００    ：ルータ
【図１】
2019064616.tif 000003
【図２】
2019064616.tif 000004
【図３】
2019064616.tif 000005
【図４】
2019064616.tif 000006
【図５】
2019064616.tif 000007
【図６】
2019064616.tif 000008
【図７】
2019064616.tif 000009
【図８】
2019064616.tif 000010
【図９】
2019064616.tif 000011
【図１０】
2019064616.tif 000012
【図１１】
2019064616.tif 000013
【図１２】
2019064616.tif 000014
【図１３】
2019064616.tif 000015
【図１４】
2019064616.tif 000016
【図１５】
2019064616.tif 000017
【国際調査報告】
2019064616.tif 000018
2019064616.tif 000019
2019064616.tif 000020
2019064616.tif 000021